(57)【要約】【課題】  本発明は、レールに沿ってカーテン地を左右に開閉できるだけでなく、カーテン地の吊下形状を簡単に変更維持することができるカーテン構造を提供することを課題とするものである。【解決手段】  レール２と、レール２に沿って移動可能なランナー３と、ランナー３に上端部が吊り下げられ且つランナー３を介して左右に開閉できる柔軟なカーテン地５とを備え、カーテン地５の少なくとも下端両隅部に孔部５１が形成されており、この孔部５１を引掛けるための掛止部３４がランナー３に設けられている。【選択図】      図１
2005245544.tif 000002
【特許請求の範囲】
【請求項１】
レールと、前記レールに沿って移動可能なランナーと、前記ランナーに上端部が吊り下げられ且つランナーを介して左右に開閉できる柔軟なカーテン地とを備えるカーテンであって、
前記カーテン地の少なくとも下端両隅部に孔部が形成されており、前記孔部を引掛けるための掛止部が前記ランナーに設けられていることを特徴とするカーテン。
【請求項２】
レールと、前記レールに沿って移動可能なランナーと、前記ランナーに上端部が吊り下げられ且つランナーを介して左右に開閉できる柔軟なカーテン地とを備えるカーテンであって、
前記ランナーには、カーテン地の側端部又は下端部の一部分を係止可能な係止手段が設けられていることを特徴とするカーテン。
【請求項３】
カーテン地の両側端部及び下端部の一部分に形成された孔部を引掛けるための掛止部が形成されているカーテン用ランナー。
【発明の詳細な説明】
【技術分野】
【０００１】
本発明は、窓枠などに設けられるカーテン及びカーテン用ランナーに関する。
【背景技術】
【０００２】
一般にカーテンの構造は、窓枠などに取り付けられるカーテン用レールと、このレールに沿って移動可能に挿通された複数のランナーと、このランナーに吊り下げられた２面の略矩形状カーテン地とからなり、レールを窓枠などに取付け、襞を形成したカーテン地の上端部に適宜の間隔を開けて複数のフックを取付け、このフックをランナーに個々に引っ掛けることにより、カーテン地が吊り下げられている。
このようなカーテンは、左右２面のカーテン地を中央部で合わせることにより日差しなどから窓を遮蔽し、一方、左右に開いてタッセルで一纏めに束ねることにより窓を開放するという外部隠蔽目的の他、部屋の装飾目的等をも兼ね備えている。
ところで、上記既存のカーテンの構造は、カーテン地を開くことによって開放される部分が、窓枠の上下縁と両カーテン地の側縁によって区画される略矩形状の領域とならざるを得ない。
しかしながら、状況に応じてカーテン地の吊下形状を種々に変えたい場合があり、上記カーテン構造では、このような要望に応えることができない。具体的には、例えば、窓の上方部から日差しが入る場合、左右のカーテン地を完全に閉じると暗くなるし、カーテン地を少しでも左右に開けると日差しが入り込んで眩しいことから、窓の下方部分のみを開放しておきたいところ、上記カーテン構造では、ランナーを動かさずにカーテン地の下方部のみを開き、そのまま維持することはできない。また、日差し等を遮る機能以外に、部屋のイメージを変えるため、カーテン地の吊下形状を変更したい場合にも簡単には対応することができない。
【発明の開示】
【発明が解決しようとする課題】
【０００３】
そこで、本発明は、レールに沿って移動させ、カーテン地を左右に開閉できるだけでなく、カーテン地の吊下形状を簡単に変更維持することができるカーテン及びカーテン用ランナーを提供することを課題とするものである。
【課題を解決するための手段】
【０００４】
本発明は、レールと、レールに沿って移動可能なランナーと、ランナーに上端部が吊り下げられ且つランナーを介して左右に開閉できる柔軟なカーテン地とを備え、カーテン地の少なくとも下端両隅部に孔部が形成されており、この孔部を引掛けるための掛止部がランナーに設けられているカーテンを提供する。
上記本発明のカーテンの構造は、カーテン地の下端両隅部に孔部が形成されており、ランナーに掛止部が設けられているので、カーテン地の下端両隅部の孔部をランナーの掛止部に引掛けることにより、簡単にカーテン地の吊下形状を変え且つこの形状を維持することができる。
【０００５】
また、本発明は、レールと、レールに沿って移動可能なランナーと、ランナーに上端部が吊り下げられ且つランナーを介して左右に開閉できる柔軟なカーテン地とを備え、ランナーに、カーテン地の側端部又は下端部の一部分を係止可能な係止手段が設けられているカーテンを提供する。
上記カーテンの構造は、ランナーに、カーテン地の側端部又は下端部の一部分を係止可能な係止手段が設けられているので、カーテン地の側端部又は下端部の一部分をランナーに止めることにより、カーテン地の吊下形状を変え且つこの形状を維持することができる。
【０００６】
また、本発明の第２の手段は、カーテン地の両側端部及び下端部の一部分に形成された孔部を引掛けるための掛止部が形成されているカーテン用ランナーを提供する。
【発明の効果】
【０００７】
本発明のカーテンは、カーテン地をレールに沿って左右に開閉するだけでなく、カーテン地の下端部等をランナーに係止することができるので、カーテン地の吊下形状を簡単に変更することができる。これにより、日差しなどを適切に遮蔽したり、或いは部屋のイメージも簡単に替えることができ、機能性及び装飾性に優れたカーテンを提供できる。
【発明を実施するための最良の形態】
【０００８】
以下、本発明について説明する。
図１は、本発明のカーテンの全体を示す正面図、図２は、ランナーを示す各図である。
図１及び図２に於いて、１は、窓枠などの固定側４に取付けられるカーテン用レール２と、このレール２に挿通された複数のランナー３と、このランナー３に吊下げられたカーテン地５と、からなるカーテンを示す。
【０００９】
レール２は、金属製、樹脂製、木製などで形成されており、ランナー３が脱落せずに走行できるように断面略Ｃ字状の長尺物からなる公知構造のものである。
ランナー３は、板状の本体部３１の上方に、レール２に挿通するための一対の車輪３２が設けられており、更に本体部３１には、カーテン地５の上端部に取り付けられたフック（図示せず）を引掛けるためのフック孔３３が形成されている。さらに、この各ランナー３には、本発明の特徴部分であるカーテン地５の一部分を係止可能な係止手段がそれぞれ設けられている。係止手段は、本体部３１の一面から突設された掛止部３４からなる。この掛止部３４は、後述するカーテン地５の孔部５１を挿入掛止するために、本体部３１から水平に突出する基部３４ａと、基部３４ａから上向きに立ち上がる鉤部３４ｂとからなる。
尚、図２（ａ）〜（ｄ）に示すものは、カーテン地５の内側上端部のフックが掛けられるランナー３’，３’であり、隣合う２面のカーテン地５，５を止めるために、側端面に磁石部３５が設けられていると共に、車輪３２が前後一対設けられている。また、図２（ｅ）に示すものは、カーテン地５の中央上端部のフックが掛けられるランナー３”であり、車輪３２が一対のみ設けられている。
【００１０】
カーテン地５は、織物、編み物、成形シートなどの公知の柔軟な生地を適宜縫製することにより矩形状に形成されており、このカーテン地５の上端部には、ランナー３のフック孔３３に引掛けるため、公知のフック（図示せず）が所定間隔を於いて複数取り付けられている。さらに、カーテン地５の下端両隅部には、ランナー３の掛止部３４に挿入脱可能な孔部５１が形成されている。この孔部５１の開口周縁は、解れ防止のため鳩目加工が施され又は鳩目金具（図示せず）が取付けられている。尚、カーテン地５は、上端部に襞が形成されていてもよいし、襞無しでもよい。
【００１１】
上記構成からなるカーテンの構造は、従来と同様に、ランナー３を介してカーテン地５を左右に開閉することができる。
さらに、例えば図３（ａ）に示すように、カーテン地５の内側の下端隅部を捲り上げ、対角線上に位置するランナー３ａの掛止部３４にカーテン地５の孔部５１を掛止することにより、カーテン地５を山形状のように斜め開いて吊り下げ維持することができる。また、例えば同図（ｂ）に示すように、カーテン地５の下端両隅部を捲り上げ、その上方に位置するランナー３ａ，３ｂの掛止部３４に掛止することにより、カーテン地５を御簾のように下半分を開いて吊り下げ維持することができる。その他、特にその吊下形状は図示しないが、カーテン地５の内側の下端隅部を捲り上げ、それを上方に位置するランナー３ｂに掛止してもよいし、或いは、カーテン地５の内側の下端隅部を捲り上げ、カーテン地５の中央上端部に位置するランナー３ｃに掛止することもでき、使用者の好みに応じてカーテン地５を様々な吊下形状に簡単に変更しこれを維持できる。
本発明のカーテン構造によれば、任意のランナー３の掛止部３４に、カーテン地５の孔部５１を引掛けるだけで、カーテン地５の吊下形状を様々に変化させることができる。従って、日差しの入射方向に合わせてカーテン地５でこれを確実に遮ることができ、また、カーテン地５を利用した部屋のイメージチェンジも簡単に行え、装飾性にも優れている。
【００１２】
尚、本発明は、上記実施形態に例示したものに限られず、本発明の意図する範囲で適宜設計変更することができる。
例えば、図４に示すように、カーテン地５の下端部及び側端部に適宜間隔を開けて孔部５１を設けてもよい。この態様の場合には、例えば、カーテン地５の側端部に形成された孔部５１をランナー３の掛止部３４に掛止するなど、カーテン地５の吊下形状をより変化に富んだものとすることができる。
もっとも、カーテン地５に形成される孔部５１は複数に限られず、例えば側端部又は下端部の１箇所にのみ形成されている構成も本発明に含まれる。
【００１３】
また、掛止部３４は、引掛部分が多くなることから上記実施形態のように全てのランナー３に設けられていることが好ましいが、例えば複数のランナー３のうち、カーテン地５の外側上端部に対応するランナー３ａにのみ設けるなどのように、一部のランナー３にのみ掛止部３４が設けられていてもよい。
さらに、掛止部３４が、ランナー３の本体部３１に対して着脱可能に設けられていてもよい。例えば、掛止部３４が本体部３１にネジ作用によって取付けられていたり、或いは、凹凸嵌合によって着脱可能に取付けられているものなどが例示される。
また、カーテン地５の下端部又は側端部の一部を掛止する掛止手段は、カーテン地５の孔部５１をランナー３の掛止部３４に引掛ける構成に限られず、例えば、ループ面と鉤面を係合させる面ファスナー［商品名］を用いて、カーテン地５の下端部又は側端部の一部をランナー３に係止するなどしてもよい。
【００１４】
その他、ランナー３は、リング状部材を介して棒状のレール２に移動可能に挿通された構成でもよい。また、カーテン地５は、１つのレール３に対し左右２面設けられるものに限られず、例えば、３面以上でもよいし、或いは１面でもよいし、又、カーテン地５の形状も矩形状に限られるものではない。
【図面の簡単な説明】
【００１５】
【図１】本発明のカーテンの一実施形態を示す正面図。
【図２】（ａ）は、ランナーの一実施形態を示す側面図、（ｂ）は、同右側面図、（ｃ）は、（ａ）のＡ−Ａ線矢視方向断面図、（ｄ）は、（ａ）のＢ−Ｂ線矢視方向断面図、（ｅ）は、ランナーの他実施形態を示す正面図。
【図３】（ａ）、（ｂ）共に、本発明のカーテンの使用状態を示す正面図。
【図４】本発明のカーテンの他実施形態を示す正面図。
【符号の説明】
【００１６】
１…カーテン、２…レール、３，３’，３”，３ａ，３ｂ，３ｃ…ランナー、３１…本体部、３２…車輪、３３…フック孔、３４…掛止部、３４ａ…基部、３４ｂ…鉤部、３５…磁石部、４固定側、５…カーテン地、５１…孔部
【図１】
2005245544.tif 000003
【図２】
2005245544.tif 000004
【図３】
2005245544.tif 000005
【図４】
2005245544.tif 000006